(57)【要約】【課題】浄水場等にて使用される水処理システムにおける生物処理や塩素注入法を用いた窒素化合物の処理に伴う問題点、すなわち、水温低下による生物処理による窒素化合物の処理能力の低下や、塩素注入法における過剰塩素投入による塩素臭害やトリハロメタン等の有害物質の生成等の問題を解決する。【解決手段】水処理システムにおいて、濾過槽５の後段に吸着塔及び酸化剤生成手段よりなる窒素化合物処理装置６を設けることにより、原水１の温度が低下することにより生物処理槽２にて処理されないこととなったアンモニア等の窒素化合物を吸着により除去し、吸着されたアンモニア等の窒素化合物を酸化剤により分解することにより、原水１の温度に依存することがなく、かつ、塩素の過剰投入を必要としない、安定かつ環境負荷の低い水処理システムが実現される。【選択図】      図１
2004160339.tif 000002
【特許請求の範囲】
【請求項１】
原水に含まれる有機物、金属、金属化合物および非水溶性物質を除去し、処理水を生成する処理水生成手段と、
前記処理水に含まれる窒素化合物を吸着する吸着剤と、この吸着剤に吸着された前記窒素化合物を分解する酸化剤を生成する酸化剤生成手段にて構成され、前記処理水生成手段の後段に設けられた窒素化合物除去手段とを備えてなる水処理システム。
【請求項２】
前記処理水生成手段が、前記原水に含まれる有機物を処理する有機物処理手段、前記原水に含まれる金属もしくは金属化合物を処理する金属処理手段および前記原水に含まれる非水溶性物質を処理する非水溶性物質処理手段を備えてなる請求項１に記載の水処理システム。
【請求項３】
前記原水に含まれる窒素化合物を処理する塩素注入手段をさらに備えてなる請求項１または２に記載の水処理システム。
【請求項４】
前記処理水生成手段が、前記原水に含まれる窒素化合物を処理する生物処理手段をさらに備えてなる請求項１から３のいずれかに記載の水処理システム。
【請求項５】
前記窒素化合物除去手段と並行して設けられ、前記処理水の前記窒素化合物除去手段への流入量を調整するためのバイパス経路と、
このバイパス経路へ流れる前記処理水の流量を調整する処理水流量調整手段と、
前記原水もしくは処理水の少なくともいずれかに含まれる窒素化合物および／または塩素化合物を測定する測定手段とをさらに備え、
前記測定手段にて測定されたデータに基づき、前記処理水流量調整手段により前記バイパス経路へ流れる前記処理水の流量を調整してなる請求項１から４のいずれかに記載の水処理システム。
【発明の詳細な説明】
【０００１】
【発明の属する技術分野】
この発明は、水処理システムに関し、ことに水道水の原水である河川や湖沼の水に含まれるアンモニア等の窒素化合物を分解除去する水処理システムに関するものである。
【０００２】
【従来の技術】
近年、河川や湖沼において、工場排水及び人口増加に伴う生活排水の流入量の増大によりアンモニア等の窒素化合物の含有量が増加し、水道水の原水の水質が悪化する問題が生じてきている。これら原水を水道水として供給するためにはアンモニア等の窒素化合物の含有量を基準値以下に下げる必要があり、増加する窒素化合物を原水より安全かつ確実に除去する方法が必要である。
従来の水処理システムにおいては、アンモニア等の窒素化合物は、生物処理による窒素化合物の一次処理工程と塩素注入法による窒素化合物の二次処理工程とを組合せた方法により除去されている（例えば、非特許文献１参照）。
【０００３】
【非特許文献１】
眞柄泰基（作成委員会委員長）著、「浄水技術ガイドライン（２０００年度版）」、初版、（財）水道技術研究センター、２００２年１２月発行、ｐ．６１
【０００４】
【発明が解決しようとする課題】
従来の水処理システムにおいては、原水温度が低下すると、生物処理を用いた窒素化合物の一次処理工程における窒素化合物の処理能力が低下するため、生物処理の下流において塩素注入法を用いた窒素化合物の二次処理工程が設けられている。しかしながら、一次処理工程における窒素化合物の処理能力が低下し、二次処理工程における窒素化合物の処理量が増大すると、過剰塩素投入の恐れが生じる。そして、二次処理工程において塩素を過剰に投入した場合、塩素臭害が発生したり、トリハロメタン等の発癌性物質が生成する等の問題があった。
【０００５】
この発明に係る水処理システムは、窒素化合物の一次処理工程として吸着・脱窒式の窒素化合物除去手段を用いた窒素化合物の除去を行うことで、原水温度に依存することなく、原水中のアンモニア性窒素等の窒素化合物を安定的に分解することを可能とするものである。
【０００６】
【課題を解決するための手段】
この発明に係る水処理システムは、原水に含まれる有機物、金属、金属化合物および非水溶性物質を除去し、処理水を生成する処理水生成手段と、処理水に含まれる窒素化合物を吸着する吸着剤と、吸着剤に吸着された窒素化合物を分解する酸化剤を生成する酸化剤生成手段にて構成され、処理水生成手段の後段に設けられた窒素化合物除去手段とを備えたものである。
【０００７】
【発明の実施の形態】
実施の形態１
図１は、本発明にかかる水処理システムの一例を示す構成説明図である。以下、図に基づき、処理方法につき説明する。
まず初め、原水１に凝集剤３が添加され、凝集沈殿槽４（有機物処理手段および金属処理手段）へと導かれる。この凝集剤３は、原水１に含まれる有機物、金属、金属化合物及び金属イオン類などの不純物を凝集除去するために使用されるもので、例えば、硫酸アルミニウムやポリアクリルアミド等の無機系若しくは有機系の凝集剤が代表として挙げられる。また、凝集沈殿槽４は、凝集剤３により凝集した有機物、金属、金属化合物及び金属イオン類などの不純物を沈殿除去するための槽である。
【０００８】
凝集沈殿槽４を通過した原水１は、続いて、濾過槽５（非水溶性物質処理手段）へと導かれる。濾過槽５は、例えば、有効径０．５〜０．７ｍｍ程度の天然砂が敷き詰められたもので、凝集沈殿槽４にて除去されなかった藻類や粒子状の金属類、プラスチック等の非水溶性物質を濾過するために用いられるものである。
従って、原水１は、凝集沈澱槽４及び濾過槽５等の処理水生成手段を通過する事で、有機物、金属、金属化合物及び金属イオン類、その他、非水溶性物質などの不純物が除去されることになる。この凝集剤および凝集沈殿については、井出哲夫  編著、水処理工学（理論と応用）、初版、（株）技法堂出版、１９７６年６月３０日発行、ｐ．５８−６６に、また、濾過については、同Ｐ．１０１−１０７に詳細の開示がある。
【０００９】
さらに、有機物、金属、金属化合物及び金属イオン類、その他、非水溶性物質などの不純物が除去された原水１は、吸着・脱窒式窒素化合物除去装置６を通過することで、残留しているアンモニア等の窒素化合物が除去される（窒素化合物の一次処理工程）。以上の処理を行うことにより原水１は処理水８として配水されることになる。
【００１０】
ところで、従来は窒素化合物の一次処理を、後述する生物処理にて行っていたが、原水１の温度が下がると、窒素化合物の処理性能が低下し、原水中の窒素化合物、特にアンモニアの除去が不完全となる問題があった。即ち、アンモニア等の窒素化合物を生物処理にて一次処理する従来の浄水処理システムにおいては、原水温度が低下する冬季におけるアンモニア等の窒素化合物の処理が不完全となる恐れがあった。
本発明にかかる水処理システムおいては、凝集沈澱槽４及び濾過槽５等の処理水生成手段の後段に、アンモニア等の窒素化合物の一次処理を行う吸着・脱窒式窒素化合物除去装置６を設け、原水１の温度が低下した場合にも、安定的に窒素化合物の処理が行える構成とした。以下に、吸着・脱窒式窒素化合物除去装置６につき説明する
【００１１】
吸着・脱窒式窒素化合物除去装置６は、吸着剤を充填した吸着手段（吸着槽）と酸化剤を生成する酸化剤生成手段にて構成されるものである。吸着剤としては、ゼオライト、活性炭、イオン交換樹脂などが好適に用いられる。また、酸化剤としては、次亜臭素酸、次亜塩素酸などの次亜ハロゲン酸が好適に用いられる。
アンモニア等の窒素化合物の分解は、原水を吸着手段に導入し、原水中の窒素化合物を吸着剤に吸着させて除去し、処理水を得、その後、別工程で吸着手段に前述の酸化剤を導入し、吸着剤に吸着された窒素化合物を窒素化することにより行われる。この吸着剤を用いた窒素化合物の吸着は原水温度の低下の影響をほとんど受けることがないため、上述した生物処理のような原水温度低下による極端な窒素化合物に対する処理能力の低下を生じることがない。そのため、原水温度が低下する冬場においても、アンモニア等の窒素化合物を安定的に処理することが可能となる。また、窒素化合物を吸着剤にて吸着した後、窒素化合物を吸着した吸着剤を原水の流れとは別個切離し、吸着剤に吸着した窒素化合物を酸化剤にて分解処理することも可能で、かかる構成とすることにより、原水に酸化剤が混入する恐れを低減させることが可能な、安全性の高い水処理システムが実現される。
【００１２】
なお、吸着・脱窒式窒素化合物除去装置６を処理水生成手段の後段に配置するのは、以下のような理由による。すなわち、吸着・脱窒式窒素化合物除去装置６にて窒素化合物を吸着する吸着剤は、通常は、窒素化合物のみならず、他の有機物や金属、金属化合物等も吸着する性質を有している。そのため、吸着・脱窒式窒素化合物除去装置６を処理水生成手段の前段に配置したのでは、吸着剤が原水に含まれる窒素化合物以外の不純物を吸着し、窒素化合物の除去性能が低下することになる。特に、川や湖沼の原水から水道水を生成するような水処理システムに用いた場合、原水中には上述のような様々な不純物が含まれているため、窒素化合物の処理能力が著しく低下する。従って、かかる吸着・脱窒式窒素化合物除去装置６を用いて原水１に含まれる窒素化合物を効率よく吸着除去するためには、原水１から窒素化合物以外の不純物を予め除去しておくことが望ましい。そのため、本実施の形態においては、吸着・脱窒式窒素化合物除去装置６を処理水生成手段の後段に配置している。
【００１３】
また、吸着・脱窒式窒素化合物除去装置６の酸化剤生成手段には、温度調整機構をさらに設けても良い。上述した通り、吸着・脱窒式窒素化合物除去装置６の窒素化合物除去性能は気温、原水温にほとんど依存しない。しかしながら、吸着された窒素化合物の分解においては酸化剤温度が強く影響し、酸化剤の温度が高い方が窒素化合物の分解は促進される。したがって、気候変動などによって吸着・脱窒式窒素化合物除去装置６の酸化剤温度が変動する可能性がある場合、これを適正温度に調整する機構を設ける事で、吸着・脱窒式窒素化合物除去装置６の性能を向上させることができる。
【００１４】
なお、上記実施の形態においては、有機物処理手段および金属処理手段として凝集沈澱槽を、また、非水溶性物質処理手段としては濾過槽を用いたが、かかる有機物処理手段、金属処理手段および非水溶性物質処理手段としては各々、有機物、金属および金属化合物、非水溶性物質を処理できるものであれば特に制限されることがない。例えば、吸着・脱窒式窒素化合物除去装置にて用いたゼオライトのような素材にて構成される所定の空孔径を有する複数のセラミックフィルターを組合したものを処理水生成手段として用い、有機物、金属、金属化合物及び金属イオン類、その他、非水溶性物質などの不純物を除去することができ、また、中空糸フィルターを処理水生成手段として用いてもよい。
【００１５】
以上、この発明に係る水処理システムによれば、凝集沈澱槽及び濾過槽にて構成される処理水生成手段の後段に吸着・脱窒式の窒素化合物除去手段を設けることで、原水中のアンモニア性窒素等の窒素化合物を、原水温度に依存することなく、安定的に分解することが可能な水処理システムが実現される。また、、吸着・脱窒式窒素化合物除去手段を有機物や金属などの不純物を除去する手段の後段に配置することで、吸着剤にて窒素化合物以外の不純物を吸着する必要がなく、吸着剤による窒素化合物の吸着が効率的に行え、吸着・脱窒式窒素化合物処理手段の処理性能を高水準に維持することが可能となる。また、吸着剤表面に窒素化合物以外の不純物が吸着しないため、酸化剤が窒素化合物の分解以外に使用されることがなく、酸化剤の利用効率も向上する。
【００１６】
実施の形態２
図２は、本発明にかかる水処理システムの一例を示す構成説明図である。図２に示した水処理システムは、図１に示した水処理システムに、窒素化合物の一次処理を行う生物処理槽２と窒素化合物の二次処理を行う塩素処理手段７とを加えたものである。
まず初め、原水１が生物処理槽（生物処理手段）２に導入されると、原水１に含まれる有機物やアンモニア等の窒素化合物が除去される（窒素化合物の一次処理工程）。この生物処理槽２には硝化菌や脱窒素菌が含まれており、これらの菌の生理作用により排水中に溶存している各種の窒素化合物が窒素ガスに変換されることにより分解処理される。この生物処理については、前述の「水処理工学（理論と応用）」ｐ．１９７−２０３、ｐ．２８１−２９３に詳細の開示がある。
【００１７】
続いて、生物処理槽２を通過した原水１には凝集剤３が添加され、有機物、金属、金属化合物及び金属イオン類などの不純物が凝集除去される。また、凝集沈殿槽４にて、凝集した有機物、金属、金属化合物及び金属イオン類などの不純物が沈殿除去され、濾過槽５により生物処理槽２や凝集沈殿槽４にて除去されなかった藻類や粒子状の金属類、プラスチック等の非水溶性物質が濾過される。従って、原水１は、生物処理槽２、凝集沈澱槽４及び濾過槽５等の処理水生成手段を通過する事で、アンモニア等の窒素化合物の他、有機物、金属、金属化合物及び金属イオン類、その他、非水溶性物質などの不純物が除去されることになる。
【００１８】
さらに、アンモニア等の窒素化合物、有機物、金属、金属化合物及び金属イオン類、その他、非水溶性物質などの不純物が除去された原水１は、吸着・脱窒式窒素化合物除去装置６を通過することで、生物処理槽２にて分解除去されなかったアンモニア等の窒素化合物の大半が除去される（窒素化合物の一次処理工程）。最後に、吸着・脱窒式窒素化合物除去装置６を通過した原水１に対し、塩素注入手段７により塩素消毒処理が施され、生物処理槽２および吸着・脱窒式窒素化合物除去装置６にて除去されなかったアンモニア等の窒素化合物が分解除去される（窒素化合物の二次処理工程）。以上の処理を行うことにより原水１は処理水８として配水されることになる。
【００１９】
かかる構成とすることで、原水１の温度が下がり、生物処理槽２の処理性能が低下した場合においても、窒素化合物が安定的に処理されることになる。
また、従来の、原水に含まれる窒素化合物を生物処理にて一次処理する水処理システムにおいては、上述したように、処理水生成手段の後段に窒素化合物を二次処理する塩素注入手段７を設け、原水１の温度低下に伴い未処理の窒素化合物が増加しても、配水８の窒素化合物含有量が増加しないようなシステム構成とされている。しかしながら、塩素注入手段７を用いた塩素消毒処理において、塩素が過剰に投与されると、水道水の塩素臭害や毒性のあるトリハロメタンの生成などの二次的な問題が発生する。本発明にかかる水処理システムおいては、上述した生物処理槽２、凝集沈澱槽４及び濾過槽５等の処理水生成手段の後段に、アンモニア等の窒素化合物の一次除去を行う吸着・脱窒式窒素化合物除去装置６を設けているため、原水１の温度が低下した場合にも、塩素を過剰投与することなく、窒素化合物を処理でき、水道水の塩素臭害や毒性のあるトリハロメタンの生成などの二次的な問題の発生が抑制される。
【００２０】
なお、処理水生成手段の後段に吸着・脱窒式窒素化合物除去装置６を設けた場合には、塩素注入手段７を省いた構成とすることも可能である。しかしながら、水道水には衛生面の観点から一定量の塩素投入が法的に義務付けられる場合が多く、通常は、水処理システムの最終段には塩素注入手段７が設けられる。
【００２１】
なお、上記実施の形態においては、生物処理槽２の後段に凝集沈澱槽４及び濾過槽５を配置したが、凝集沈澱槽４及び濾過槽５は生物処理槽２の前段に配置しても同様の効果を得ることができることは言うまでもない。
【００２２】
以上、この発明に係る水処理システムによれば、生物処理槽、凝集沈澱槽及び濾過槽にて構成される処理水生成手段の後段に吸着・脱窒式の窒素化合物除去手段を設けることで、原水温度に依存することなく、原水中のアンモニア性窒素等の窒素化合物を安定的に分解することが可能な水処理システムが実現される。また、塩素注入法を用いた窒素化合物の二次処理工程をさらに備えた場合には、原水温度低下によるアンモニア除去能力の低下を補うための塩素過剰投与が不要となり、水道水等の処理水における塩素臭の発生を抑制し、塩素処理にて副生成する可能性があるトリハロメタンなどの有害物質の発生を抑制することが可能な水処理システムが実現される。
【００２３】
実施の形態３
図３は、本発明にかかる水処理システムの一例を示す構成説明図である。図３に示した水処理システムは、図２に示した水処理システムに吸着・脱窒式窒素化合物除去装置６をバイパスするバイパス経路１０と流量コントローラ（処理水流量調整手段）９を加えたものである。
原水１の窒素化合物濃度は、吸着・脱窒式窒素化合物除去装置６を通過した窒素化合物を除去された水と、バイパス経路１０を通過した窒素化合物の除去が不十分な水とを吸着・脱窒式窒素化合物除去装置６の下流で混ぜ合わせることにより所定値以下に調整される。
【００２４】
かかるバイパス経路１０を設けたのは、上述の通り、生物処理槽２におけるアンモニア等の窒素化合物の処理能力が、原水１の温度によって変化するからである。すなわち、原水１の温度が比較的高い夏場においては、生物処理槽２におけるアンモニア等の窒素化合物の処理能力が高いため、原水１の大部分は吸着・脱窒式窒素化合物除去装置６をあえて通過させる必要はなく、バイパス経路１０を経由させることにより、吸着・脱窒式窒素化合物除去装置６の不要な稼動を抑制することができる。一方、原水１の温度が比較的低い冬場においては、生物処理槽２におけるアンモニア等の窒素化合物の処理能力が低下するため、吸着・脱窒式窒素化合物除去装置６を通過する原水１の量を増加させる必要が生じる。そのため、冬場においては、バイパス経路１０に流入する原水１の量を抑制することが必要になる。以上、かかる構成とすることにより、処理水における窒素化合物濃度の目標値に合わせて流量コントローラ９の流量を制御する事ができ、吸着・脱窒窒素化合物除去装置６の処理水量を最低限に押さえ、ランニングコストを低減することが可能となる。
【００２５】
なお、本実施の形態においては、流量コントローラ９をバイパス経路１０に取り付けたが、流量コントローラ９は原水の主経路（配管）に取り付けても良い。
具体的には、バイパス経路１０への分岐点の下流、かつ、吸着・脱窒式窒素化合物除去装置６の上流に該当する位置に取り付けることができる。
【００２６】
以上、本発明にかかる水処理システムによれば、上述の実施の形態１、２にて示した効果に加え、処理水中のアンモニア等の窒素化合物の濃度に応じて、吸着・脱窒式の窒素化合物除去手段を通過する原水の量の調整が可能となるため、吸着・脱窒式の窒素化合物除去手段による不要な窒素化合物の分解処理を回避することができ、アンモニア等の窒素化合物の処理コストを抑制した水処理システムが提供される。
【００２７】
実施の形態４
図４は、本発明にかかる水処理システムの一例を示す構成説明図である。図４に示した水処理システムは、図３に示した水処理システムの生物処理槽２の上流に窒素化合物濃度計（測定手段）１１と温度計１７を取り付け、窒素化合物濃度計１１で測定した窒素化合物濃度と温度計１７で測定した原水温度の出力信号を設定器１４へ入力し、設定器１４の出力信号により流量コントローラ９を制御できるように構成したものである。生物処理槽２のアンモニア等の窒素化合物の処理能力は、原水１の温度に依存するため、予め、原水１の窒素化合物濃度と原水１の温度を測定することにより生物処理槽２を通過した後の原水１中の窒素化合物濃度が予測できる。そして、この予測値によって流量コントローラ９の設定を変更し、吸着・脱窒式窒素化合物除去装置６への流入量を制御することにより、吸着・脱窒窒素化合物除去装置６での処理水量を最低限に押さえる事ができる。
その結果、水処理システムのランニングコストが低減できることになる。
【００２８】
なお、本実施の形態においては、生物処理槽２前段に窒素化合物濃度計１１を取り付けたが、吸着・脱窒式窒素化合物除去装置の前段であれば何処でも良く、上記と同様の効果が得られることは言うまでもない。
また、本実施の形態においては、窒素化合物濃度計１１と温度計１７の２種の測定手段から出力される出力信号で流量コントローラ９を制御したが、原水温度が一定に保たれる場合には、温度計１７は不要である。
【００２９】
以上、本発明にかかる水処理システムによれば、上述の実施の形態１から３にて示した効果に加え、処理水中のアンモニア等の窒素化合物の濃度を予め予測して、吸着・脱窒式窒素化合物除去装置６を通過する処理水の量の調整が可能となるため、吸着・脱窒式窒素化合物除去装置６による不要な窒素化合物の分解処理を回避することができ、アンモニア等の窒素化合物の処理コストを抑制した水処理システムが実現される。
【００３０】
実施の形態５
図５は、本発明にかかる水処理システムの一例を示す構成説明図である。図５に示した水処理システムは、図３に示した水処理システムの塩素消毒手段７に塩素注入率制御器１２を付加し、塩素注入率制御器１２から出力された塩素注入率を設定器１５へ入力し、設定器１５にて流量コントローラ９を制御できるように構成したものである。
塩素消毒処理７における塩素の注入量は、上述したように、原水１の温度が低下し、生物処理槽２における窒素化合物の処理能力が低下すると増加させる必要が生じる。しかし、残留塩素濃度やトリハロメタン等の有害物質の生成を抑制する観点からは、塩素消毒処理における塩素の注入量は必要最小限に抑えることが望ましい。そこで、本実施の形態においては、塩素消毒処理における塩素の注入量が、塩素注入率制御器１２にて設定された塩素の注入量を越えると、吸着・脱窒式窒素化合物除去装置６への処理水の流量が増加するように調整することとした。かかる構成にすることにより、塩素消毒処理における塩素の注入量を必要最小限に抑えながら、吸着・脱窒式窒素化合物除去装置６を有効に利用することができ、有害物質の生成を抑制しながら、窒素化合物の処理コストを低減させることができる。
【００３１】
本実施の形態においては、図３に示した水処理システムに塩素注入率制御器１２、設定器１５から構成される流量コントローラ９の制御機構を付加した場合について述べたが、図４に示した水処理システムについても、同様の制御機構を付加することで同様の効果を得ることができることは言うまでもない。
【００３２】
以上、本発明にかかる水処理システムによれば、上述の実施の形態１から３にて示した効果に加え、塩素消毒処理における塩素の注入量を必要最小限に抑えながら、吸着・脱窒式の窒素化合物除去手段を有効に利用することができ、有害物質の生成を抑制しながら、窒素化合物の処理コストを低減させた水処理システムが提供される。
【００３３】
実施の形態６
図６は、本発明にかかる水処理システムの一例を示す構成説明図である。図６に示した水処理システムは、図３に示した水処理システムの塩素消毒手段７の後段に残留塩素濃度計（測定手段）１３を取り付けて残留塩素濃度を測定し、測定された塩素濃度の出力信号を設定器１６へ入力し、設定器１６からの出力信号により流量コントローラ９を制御できるように構成したものである。
残留塩素濃度計１３での測定値が消毒基準値を大幅に越える場合は、塩素が過剰に投与されたことを意味するが、その原因としてアンモニア等の窒素化合物の除去が不完全であることが考えられる。窒素化合物の除去が不完全であると、消毒用に投入した塩素が窒素化合物の除去に消費され、その結果として塩素投入量が増大し、塩素が過剰投与されることとなる。本実施の形態においては、残留塩素濃度計１３の測定値により流量コントローラ９を制御することで吸着・脱窒式窒素化合物除去装置６への流量が調整され、残留塩素濃度計１３の測定値が消毒基準値程度となるように窒素化合物が除去される。このことにより、塩素の過剰投与を防止でき、水道水の塩素臭害やトリハロメタンなどの有害物の生成を防止できるなどの効果が得られる。
【００３４】
本実施の形態においては、図３に示した水処理システムに残留塩素濃度計１３、設定器１６から構成される流量コントローラ９の制御機構を付加した場合について述べたが、図４、図５に示した水処理システムについても、同様の制御機構を付加することで、図４、図５に示した水処理システムの効果に加えて同様の効果を得ることができる。
【００３５】
以上、本発明にかかる水処理システムによれば、上述の実施の形態１から３にて示した効果に加え、塩素消毒処理における塩素の注入量を必要最小限に抑えながら、吸着・脱窒式の窒素化合物除去手段を有効に利用することができ、有害物質の生成を抑制しながら、窒素化合物の処理コストを低減させた水処理システムが実現される。
【００３６】
【発明の効果】
以上、本発明にかかる水処理システムによれば、原水に含まれる有機物、金属、金属化合物および非水溶性物質を除去し、処理水を生成する処理水生成手段と、処理水に含まれる窒素化合物を吸着する吸着剤と、吸着剤に吸着された窒素化合物を分解する酸化剤を生成する酸化剤生成手段にて構成され、処理水生成手段の後段に設けられた窒素化合物除去手段とを備えているため、原水温度に依存することなく、原水中のアンモニア性窒素等の窒素化合物を安定的に分解することが可能な水処理システムが実現される。
【図面の簡単な説明】
【図１】本発明にかかる水処理システムの構成説明図である。
【図２】本発明にかかる水処理システムの構成説明図である。
【図３】本発明にかかる水処理システムの構成説明図である。
【図４】本発明にかかる水処理システムの構成説明図である。
【図５】本発明にかかる水処理システムの構成説明図である。
【図６】本発明にかかる水処理システムの構成説明図である。
【符号の説明】
１  原水、２  生物処理槽、３  凝集剤、４  凝集沈澱槽、５  濾過槽、
６  吸着・脱窒式窒素化合物除去装置、７  塩素注入手段、８、  処理水、
９  流量コントローラ、１０  バイパス経路、１１  窒素化合物濃度計、
１２  塩素注入率制御器、１３  残留塩素濃度計、１４、１５、１６  設定器、１７  温度計。
【図１】
2004160339.tif 000003
【図２】
2004160339.tif 000004
【図３】
2004160339.tif 000005
【図４】
2004160339.tif 000006
【図５】
2004160339.tif 000007
【図６】
2004160339.tif 000008